(57)【要約】【課題】外部機器と貫通孔との位置関係に柔軟に対応して見栄え良く配線・配管材を配設できる配設経路形成装置を提供する。【解決手段】配設経路形成装置１００は、１又は複数の配線・配管材Ｐを内挿し、基礎壁１１の厚みよりも長尺に形成された中空筒部１１０と、基礎壁１１の一面側の貫通孔１２周縁に当接するように、中空筒部１１０の一端側で外方に張り出す張出部１２０とを備える。中空筒部１１０の少なくとも一部には屈曲自在且つ切断可能な蛇腹部１１２が形成されている。張出部１２０が基礎壁１１の内面側の貫通孔１２周縁に固定され、且つ、基礎壁１１の外面側に中空筒部１１０が突出するように配置された状態で、貫通孔１２から延び出た中空筒部１１０が基礎壁１１外面に向けて座屈することなく蛇腹部１１２を介して屈曲し、中空筒部１１０が基礎壁１１外面に沿って配設され得る長さで中空筒部１１０が形成されている。【選択図】図１
2019124362.tif 000002
【特許請求の範囲】
【請求項１】
建物の基礎壁に貫通形成された貫通孔に設置される配線・配管材用の配設経路形成装置であって、
１又は複数の配線・配管材を内挿し、前記基礎壁の厚みよりも長尺に形成された中空筒部と、
前記基礎壁の内面の貫通孔周縁に当接するように、前記中空筒部の一端側で外方に張り出し、前記中空筒部に一体的に結合された張出部と、を備え、
前記中空筒部の少なくとも一部には屈曲自在且つ切断可能な蛇腹部が形成され、
前記張出部が前記基礎壁の内面側の貫通孔周縁に固定され、且つ、前記基礎壁の外面側に前記中空筒部が突出するように配置された状態で、前記貫通孔から延び出た前記中空筒部が前記基礎壁外面に向けて座屈することなく前記蛇腹部を介して屈曲し、前記中空筒部が前記基礎壁外面に沿って配設され得る長さで前記中空筒部が形成されていることを特徴とする配設経路形成装置。
【請求項２】
建物の基礎壁に貫通形成された貫通孔に設置される配線・配管材用の配設経路形成装置であって、
１又は複数の配線・配管材を内挿し、前記基礎壁の厚みよりも長尺に形成された中空筒部と、
前記基礎壁の内面の貫通孔周縁に当接するように、前記中空筒部の一端側で外方に張り出し、前記中空筒部に一体的に結合された張出部と、を備え、
前記中空筒部の少なくとも一部には屈曲自在且つ切断可能な蛇腹部が形成され、
前記蛇腹部と前記張出部との間には、前記蛇腹部と比べて可撓性を有しない基端部が形成され、
前記張出部が前記基礎壁の内面側の貫通孔周縁に固定され、且つ、前記基礎壁の外面側に前記中空筒部が突出するように配置された状態で、前記蛇腹部が、前記貫通孔内から連続して前記基礎壁の外面側に設けられ、さらに、前記貫通孔から延び出た前記中空筒部が前記基礎壁外面に向けて座屈することなく前記蛇腹部を介して屈曲し、前記中空筒部が前記基礎壁外面に沿って配設され得る長さで前記中空筒部が形成されていることを特徴とする配設経路形成装置。
【請求項３】
前記張出部は、矩形状に形成されているとともに前記貫通孔に挿通された前記中空筒部外面と前記貫通孔内面との間を閉鎖する大きさに形成されていることを特徴とする請求項１又は２に記載の配設経路形成装置。
【請求項４】
前記中空筒部における前記張出部と前記蛇腹部との間に形成された基端部は、前記蛇腹部よりも屈曲しにくいことを特徴とする請求項１から３のいずれか一項に記載の配設経路形成装置。
【請求項５】
建物の基礎壁の貫通孔と建物外部に設置された外部機器との間に配線・配管材の配設経路が筒体によって形成された配設経路構造であって、
前記筒体は、１又は複数の配線・配管材を内挿し、前記基礎壁の厚みよりも長尺に形成され、前記貫通孔を貫通する中空筒部、及び、前記中空筒部の一端側で外方に張り出し、前記中空筒部に一体的に結合され、前記基礎壁の内面側の貫通孔周縁に当接する張出部、を備え、
前記張出部が前記基礎壁内面の貫通孔周縁に固定され、前記中空筒部における少なくとも前記基礎壁外面側に突出した箇所に形成された屈曲自在な蛇腹部が前記外部機器へ向けて屈曲するように配設されて、前記基礎壁と前記外部機器との間に前記配線・配管材を保護するための配設経路を形成したことを特徴とする配設経路構造。
【請求項６】
建物の基礎壁の貫通孔と建物外部に設置された外部機器との間に配線・配管材の配設経路が筒体によって形成された配設経路構造であって、
前記筒体は、１又は複数の配線・配管材を内挿し、前記基礎壁の厚みよりも長尺に形成され、前記貫通孔を貫通する中空筒部、及び、前記中空筒部の一端側で外方に張り出し、前記中空筒部に一体的に結合され、前記基礎壁の内面側の貫通孔周縁に当接する張出部、を備え、
前記張出部が前記基礎壁内面の貫通孔周縁に固定され、前記中空筒部における少なくとも前記貫通孔内から前記基礎壁外面側に突出した箇所に形成された屈曲自在な蛇腹部が前記外部機器へ向けて屈曲するととも前記蛇腹部と前記張出部との間には、前記蛇腹部と比べて可撓性を有しない基端部が形成されるように配設されて、前記基礎壁と前記外部機器との間に前記配線・配管材を保護するための配設経路を形成したことを特徴とする配設経路構造。
【請求項７】
建物の基礎壁の貫通孔と建物外部に設置された外部機器との間に配線・配管材の配設経路が第１筒体及び第２筒体によって形成された配設経路構造であって、
前記第１筒体は、請求項１から４のいずれか一項に記載の配設経路形成装置からなり、
前記第１筒体は、１又は複数の配線・配管材を内挿し、前記基礎壁の厚みよりも長尺に形成され、前記貫通孔を貫通する中空筒部、前記中空筒部の一端側で外方に張り出し、前記基礎壁の内面側の貫通孔周縁に当接する張出部、及び、前記中空筒部の他端に形成された接続部を備え、
前記第２筒体は、前記第１筒体と別体の長尺体であり、且つ、前記第１筒体の中空筒部の蛇腹部と同一構造の蛇腹部を備え、
前記張出部が前記基礎壁内面の貫通孔周縁に固定され、前記中空筒部の前記基礎壁外面側に突出した箇所で前記第１筒体の前記蛇腹部が前記外部機器へ向けて屈曲し、前記接続部に前記第２筒体の前記蛇腹部が接続されて、前記基礎壁と前記外部機器との間に前記配線・配管材を保護するための配設経路を形成したことを特徴とする配設経路構造。
【請求項８】
前記中空筒部と前記貫通孔内面との間には止水手段が設けられていることを特徴とする請求項６又は７に記載の配設経路構造。
【請求項９】
前記張出部は、矩形状をなし、各辺のそれぞれに沿う直線状の粘着テープによって前記基礎壁に固着されていることを特徴とする請求項６から８のいずれか一項に記載の配設経路構造。
【発明の詳細な説明】
【技術分野】
【０００１】
本発明は、建物等の壁に穿設された貫通孔に対して設置され、配線・配管材用の配設経路を形成するための配設経路形成装置及び配設経路構造に関する。
【背景技術】
【０００２】
例えば、建物の内部に設置された水洗やユニットバス等の屋内設備は、建物の外部に設置されたヒートポンプ式給湯器等の外部機器と配線・配管材（配管材や信号線）によって接続されている。配線・配管材は、建物の基礎壁に形成された貫通孔を貫通して屋内設備と外部機器との間に配設される。そして、建物内部から建物外部に配線・配管材を引き出して、該配線・配管材で屋内設備と外部機器とを接続する際、配線・配管材の配設経路の見栄えを良くしたり、屋外における配線・配管材の劣化を防ぐために、屋外側の配線・配管材をカバーで覆うことが行われている。従来、このような屋外の配線・配管材の被覆目的で、配線・配管材の配設経路を形成するための種々の配設経路形成装置が用いられている。
【０００３】
例えば、特許文献１は、建物の屋外に面する壁（１）を貫通する貫通孔（１ａ）の屋外（Ｊ）側に設置される屋外貫通孔カバー（４）と、該屋外用貫通孔カバー（４）に接続され、配線・配管材（２）を内挿して保護する保護管（３）とからなる配設経路形成装置を開示する。より具体的には、屋外貫通孔カバー（４）は、壁（１）の屋外（Ｊ）側の壁面（１ｂ）に当接するフランジ（５０１）と、フランジ（５０１）の裏面から突出形成されて貫通孔（１ａ）に嵌合するガイド筒部（６）と、ガイド筒部（６）よりも小径な充填空間形成部（７）と、を備える。この屋外貫通孔カバー（４）は、周囲側がフランジ（５０１）となっているプレート（５）を有するカバー部（１１）と、カバー部（１１）から前側に突出し、配線・配管材（２）が挿通される複数の内筒（１２）と、カバー部（１１）から内筒（１２）を囲むように前側に突出し、内筒（１２）との間に配線・配管材（２）を保護する保護管（３）が挿入可能となっている複数の外筒（１３）とをさらに備える。これら複数の内筒（１２）及び外筒（１３）が壁（１）の外方に突出し、複数の保護管（３）が屋外（Ｊ）から屋外貫通孔カバー（４）の複数の外筒（１３）に内挿されて接続される。なお、（）内に特許文献１の符号を示した。
【先行技術文献】
【特許文献】
【０００４】
【特許文献１】特開２０１２−１３１２４号公報
【発明の概要】
【発明が解決しようとする課題】
【０００５】
しかしながら、特許文献１の装置において、貫通孔から建物外部に引き出された配線・配管材が外部機器へ向けて配設されるが、屋外貫通孔カバーの内筒及び外筒などの部材が壁の外面から突出するとともに外部に露出するため、見栄えが損なわれることが考えられる。特に、外部機器の設置箇所が壁の貫通孔形成位置から離れている場合、外部に露出した屋外貫通孔カバーの凹凸がより一層目立つため、その外観を改善することが１つの課題として挙げられる。
【０００６】
本発明は、上記課題を解決するためになされたものであり、その目的は、外部機器と貫通孔との位置関係に柔軟に対応して見栄え良く配線・配管材を配設できる配設経路形成装置及び配設経路構造を提供することにある。
【課題を解決するための手段】
【０００７】
本発明の一形態の配設経路形成装置は、建物の基礎壁に貫通形成された貫通孔に設置される配線・配管材用の配設経路形成装置であって、
１又は複数の配線・配管材を内挿し、基礎壁の厚みよりも長尺に形成された中空筒部と、
基礎壁の一面側の貫通孔周縁に当接するように、中空筒部の一端側で外方に張り出す張出部と、を備え、
中空筒部の少なくとも一部には屈曲自在且つ切断可能な蛇腹部が形成され、
中空筒部の他端には、他の配設経路形成装置において一端側が蛇腹部で切除された中空筒部の切断部を接続可能な接続部が設けられていることを特徴とする。
【０００８】
本発明のさらなる形態の配設経路形成装置は、接続部は、蛇腹部に内挿可能な縮径筒部と、縮径筒部の外面に突出し、蛇腹部の内面に係合する係止突起とを有することを特徴とする。
【０００９】
本発明の一形態の配設経路形成装置は、建物の基礎壁に貫通形成された貫通孔に設置される配線・配管材用の配設経路形成装置であって、
１又は複数の配線・配管材を内挿し、基礎壁の厚みよりも長尺に形成された中空筒部と、
基礎壁の内面の貫通孔周縁に当接するように、中空筒部の一端側で外方に張り出す張出部と、を備え、
中空筒部の少なくとも一部には屈曲自在且つ切断可能な蛇腹部が形成され、
張出部が基礎壁の内面側の貫通孔周縁に固定され、且つ、基礎壁の外面側に中空筒部が突出するように配置された状態で、貫通孔から延び出た中空筒部が基礎壁外面に向けて座屈することなく蛇腹部を介して屈曲し、中空筒部が基礎壁外面に沿って配設され得る長さで中空筒部が形成されていることを特徴とする。
【００１０】
本発明のさらなる形態の配設経路形成装置は、張出部は、矩形状に形成されているとともに貫通孔に挿通された中空筒部外面と貫通孔内面との間を閉鎖する大きさに形成されていることを特徴とする。
【００１１】
本発明のさらなる形態の配設経路形成装置は、中空筒部における張出部と蛇腹部との間に形成された基端部は、蛇腹部よりも屈曲しにくいことを特徴とする。
【００１２】
本発明の一形態の配設経路構造は、建物の基礎壁の貫通孔と建物外部に設置された外部機器との間に配線・配管材の配設経路が筒体によって形成された配設経路構造であって、
筒体は、１又は複数の配線・配管材を内挿し、基礎壁の厚みよりも長尺に形成され、貫通孔を貫通する中空筒部、及び、中空筒部の一端側で外方に張り出し、基礎壁の内面側の貫通孔周縁に当接する張出部、を備え、
張出部が基礎壁内面の貫通孔周縁に固定され、中空筒部における少なくとも基礎壁外面側に突出した箇所に形成された屈曲自在な蛇腹部が外部機器へ向けて屈曲するように配設されて、基礎壁と外部機器との間に配線・配管材を保護するための配設経路を形成したことを特徴とする。
【００１３】
本発明の一形態の配設経路構造は、建物の基礎壁の貫通孔と建物外部に設置された外部機器との間に配線・配管材の配設経路が第１筒体及び第２筒体によって形成された配設経路構造であって、
第１筒体は、１又は複数の配線・配管材を内挿し、基礎壁の厚みよりも長尺に形成され、貫通孔を貫通する中空筒部、中空筒部の一端側で外方に張り出し、基礎壁の内面側の貫通孔周縁に当接する張出部、及び、中空筒部の他端に形成された接続部を備え、
第２筒体は、第１筒体と別体の長尺体であり、且つ、第１筒体の中空筒部の蛇腹部と同一構造の蛇腹部を備え、
張出部が基礎壁内面の貫通孔周縁に固定され、中空筒部の基礎壁外面側に突出した箇所で第１筒体の蛇腹部が外部機器へ向けて屈曲し、接続部に第２筒体の蛇腹部が接続されて、基礎壁と外部機器との間に配線・配管材を保護するための配設経路を形成したことを特徴とする。
【００１４】
本発明のさらなる形態の配設経路構造は、中空筒部と貫通孔内面との間には止水手段が設けられていることを特徴とする。
【００１５】
本発明のさらなる形態の配設経路構造は、張出部は、矩形状をなし、各辺のそれぞれに沿う直線状の粘着テープによって基礎壁に固着されていることを特徴とする。
【発明の効果】
【００１６】
本発明の一形態の配設経路形成装置によれば、貫通孔を貫通する長尺の中空筒部、及び、基礎壁の一面側の貫通孔周縁に当接する張出部が設けられていることを特徴とする。すなわち、基礎壁の一面側に張出部が固定されることにより、貫通孔から延び出る中空筒部のみが基礎壁の他面側に露出する。これにより、基礎壁の他面からの外観がすっきりし、見栄えが改善される。さらに、中空筒部が内挿する配線・配管材が接続される外部機器の位置に応じて、中空筒部の長さを短縮又は延長することが可能であり、柔軟に対応することができる。すなわち、基礎壁の貫通孔形成位置と外部機器とが近接し、必要な配線・配管材の長さよりも中空筒部が長尺である場合、蛇腹部で中空筒部を切断することによって、中空筒部の他端側を切除して該中空筒部の長さを調節することが可能である。他方、基礎壁の貫通孔形成位置と外部機器とが離隔し、必要な配線・配管材の長さよりも中空筒部が短尺である場合、（当該配設経路形成装置と同一形状を有する）他の配設経路形成装置を準備し、その一端側が蛇腹部で切除された中空筒部の切断片を当該配設経路形成装置の接続部に接続することにより、配線・配管材の配設経路を延長することができる。これにより、配線・配管材が外部に露出する面積が効果的に抑えられる。したがって、本発明によれば、外部機器と貫通孔との位置関係に柔軟に対応して見栄え良く配線・配管材を配設できる。
【００１７】
本発明のさらなる形態の配設経路形成装置によれば、上記発明の効果に加えて、接続部は、蛇腹部に内挿可能な縮径筒部と、縮径筒部の外面に突出し、蛇腹部の内面に係合する係止突起とを有する。これにより、蛇腹部で切断した切断片の切断部開口に接続部を挿入して、両者を簡単に嵌合（係合）させて連結することができる。
【００１８】
本発明の一形態の配設経路形成装置によれば、貫通孔を貫通する長尺の中空筒部、及び、基礎壁の内面側の貫通孔周縁に当接する張出部が設けられていることを特徴とする。すなわち、基礎壁の内面側に張出部が固定されることにより、貫通孔から延び出る中空筒部のみが基礎壁の外面側に露出する。これにより、基礎壁の外面からの外観がすっきりし、見栄えが改善される。また、基礎壁の貫通孔形成位置と外部機器とが近接し、必要な配線・配管材の長さよりも中空筒部が長尺である場合、蛇腹部で中空筒部を切断することによって、中空筒部の他端側を切除して該中空筒部の長さを調節することが可能である。さらに、張出部が基礎壁の内面側の貫通孔周縁に固定され、且つ、基礎壁の外面側に中空筒部が突出するように配置された状態で、貫通孔から延び出た中空筒部が基礎壁外面に向けて座屈することなく蛇腹部を介して屈曲する。そして、中空筒部が基礎壁外面に沿って配設され得る。すなわち、貫通孔形成位置と外部機器との間の配設経路を基礎壁外面に沿うように定めることが可能であり、外部機器と基礎壁との間で見栄え良く配線・配管材を配設できる。
【００１９】
本発明のさらなる形態の配設経路形成装置によれば、上記発明の効果に加えて、張出部が基礎壁の他面側で貫通孔を閉鎖することにより、貫通孔を介して基礎壁の他面側に水やゴミ等が侵入することを防止することができる。
【００２０】
本発明のさらなる形態の配設経路形成装置によれば、上記発明の効果に加えて、基端部が蛇腹部と比べて屈曲しにくいことにより、蛇腹部の屈曲によって張出部にかかる応力を軽減し、張出部の姿勢をより安定的に維持することが可能である。
【００２１】
本発明の一形態の配設経路構造によれば、筒体に設けられた長尺の中空筒部が貫通孔を貫通し、且つ、張出部が基礎壁の内面側の貫通孔周縁に当接するように固定されている。すなわち、基礎壁の内面側に張出部が固定されることにより、貫通孔から延び出る中空筒部のみが基礎壁の外面側に露出している。これにより、基礎壁の外面からの外観がすっきりし、見栄えが改善される。そして、張出部が基礎壁内面の貫通孔周縁に固定され、中空筒部における少なくとも基礎壁外面側に突出した箇所に形成された屈曲自在な蛇腹部が外部機器へ向けて屈曲するように配設されて、基礎壁と外部機器との間に配線・配管材を保護するための配設経路を形成した。これにより、配設経路構造では、配線・配管材が外部に露出する面積が効果的に抑えられている。
【００２２】
本発明の一形態の配設経路構造によれば、第１筒体に設けられた長尺の中空筒部が貫通孔を貫通し、且つ、張出部が基礎壁の内面側の貫通孔周縁に当接するように固定されている。すなわち、基礎壁の内面側に張出部が固定されることにより、貫通孔から延び出る中空筒部のみが基礎壁の外面側に露出している。これにより、基礎壁の外面からの外観がすっきりし、見栄えが改善される。そして、配設経路構造では、第１筒体の接続部に第２筒体の蛇腹部が接続されていることにより、第１筒体の中空筒部が効果的に延長されている。すなわち、第１筒体及び第２筒体が協働して、基礎壁の貫通孔形成位置と外部機器の距離（配線・配管材の長さ）に合わせて配設経路が延長されている。これにより、配線・配管材が外部に露出する面積が効果的に抑えられる。したがって、本発明によれば、外部機器と貫通孔との位置関係に柔軟に対応して見栄え良く配線・配管材を保護及び配設できる。
【００２３】
本発明の一形態の配設経路構造によれば、上記発明の効果に加えて、止水手段によって、貫通孔内部に水やゴミ等が侵入することを防止することができる。
【００２４】
本発明の一形態の配設経路構造によれば、上記発明の効果に加えて、粘着テープによって張出部を貫通孔の周縁に簡単に固着することができる。
【図面の簡単な説明】
【００２５】
【図１】本発明に係る一実施形態の配設経路形成装置の概略斜視図。
【図２】図１の配設経路形成装置の（ａ）正面図、（ｂ）側面図、及び（ｃ）背面図。
【図３】図１の配設経路形成装置の中空筒部を蛇腹部で切断した形態を示す概略側面図。
【図４】一の配設経路形成装置の中空筒部を他の配設経路形成装置の切断残片で延長した形態を示す概略断面図。
【図５】本発明の配設経路形成装置の一使用例による配設経路構造の概略斜視図。
【図６】図５の配設経路構造の概略平面図。
【図７】図５の配設経路構造の概略正面図。
【図８】図５の配設経路構造の基礎壁内面から見た背面図。
【図９】図６の配設経路構造のＡ−Ａ断面図。
【図１０】本発明の配設経路形成装置の別使用例による配設経路構造の概略斜視図。
【図１１】図１０の配設経路構造の概略平面図。
【発明を実施するための形態】
【００２６】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２７】
本発明の配設経路形成装置は、建物の内部から外部に引き出された１又は複数の配線・配管材Ｐを建物外部で保護すべく配設経路を形成することに用いられる。特には、本実施形態の配設経路形成装置１００では、配線・配管材Ｐで屋内設備（図示せず）と外部機器１３とを接続する際、建物の基礎壁１１の外部に貫通孔１２を介して複数本の配線・配管材Ｐが引き出され、貫通孔１２から外部機器１３までの間で配線・配管材Ｐのための配設経路を形成することに用いられる。しかしながら、以下に説明する配設経路形成装置１００は例示にすぎず、本発明は、当該用途に限定されない。
【００２８】
まず、図１及び図２を参照して、本実施形態の配設経路形成装置１００の構造について説明する。図１は、本発明の一実施形態の配設経路形成装置１００の概略斜視図である。図２（ａ）、（ｂ）、（ｃ）は、配設経路形成装置１００の概略正面図、側面図及び背面図である。
【００２９】
図１及び図２に示すとおり、配設経路形成装置１００は、１又は複数本の配線・配管材Ｐを内挿可能に形成された長尺の筒体である。該配設経路形成装置（以下、「筒体、第１筒体」とも称される）１００は、１又は複数の配線・配管材Ｐを内挿し、基礎壁１１の厚みよりも長尺に形成された中空筒部１１０と、基礎壁１１の内面側の貫通孔１２周縁に当接するように、中空筒部１１０の一端側で外方に張り出す張出部１２０と、中空筒部１１０の他端に設けられた接続部１３０と、を備えてなる。
【００３０】
中空筒部１１０は、その一端側で張出部１２０に連設された短筒状の基端部１１１と、該基端部１１１の他端側から延びる（基端部１１１よりも）長尺の蛇腹部１１２とから構成されている。中空筒部１１０の全長は、少なくとも基礎壁１１の厚みよりも長尺に形成される。そして、張出部１２０が基礎壁１１の内面側の貫通孔１２周縁に固定され、且つ、基礎壁１１の外面側に中空筒部１１０が突出するように配置された状態で、貫通孔１２から延び出た中空筒部１１０が基礎壁１１外面に向けて座屈することなく蛇腹部１１２を介して屈曲し、中空筒部１１０が基礎壁１１外面に沿って配設され得る長さで中空筒部１１０が形成されることが好ましい。なお、「座屈」とは、中空筒部１１０が折れて、内部の配線・配管空間が狭まったり、閉鎖されたりする状態を示す。また、中空筒部１１０の内径は、その最も縮径した部分で複数本の配線・配管材Ｐを内挿及び保護できるように、定められることが好ましい。
【００３１】
基端部１１１は、中空筒部１１０における張出部１２０と蛇腹部１１２との間を直状に連結するように円筒形状を有している。つまり、該基端部１１１は、蛇腹状に形成されていないため、基端部１１１は可撓性をほとんど有していない。換言すると、基端部１１１は、蛇腹部１１２よりも屈曲しにくいことを特徴とする。基端部１１１の長さは、設置時に貫通孔１２内に収容されるように、基礎壁１１の厚みよりも短尺であることが好ましい。本実施形態では、基端部１１１の外径（内径）は、蛇腹部１１２の山部の外径（内径）とほぼ同一であり、複数本の配線・配管材Ｐを内挿及び保護可能である。そして、蛇腹部１１２の山部の外径は、貫通孔１３の径とほぼ同一の径か近い径であることが好ましい。基礎壁１１外面において、貫通孔１３内面と蛇腹部１１２外面との間の隙間が目立たなくなるからである。
【００３２】
蛇腹部１１２は、基端部１１１の他端に連設されている。該蛇腹部１１２は、山部及び谷部が交互に連なった一般的な可撓性の蛇腹構造を有し、長手方向に沿って座屈することなく屈折又は屈曲自在であることを特徴とする。また、蛇腹部１１２は、中空筒部１１０の長手方向の大部分を占めており、配線・配管材Ｐを内挿及び保護するための屈折可能な配設経路を定めるものである。
【００３３】
さらに、蛇腹部１１２は、切断可能に形成されている。特には、蛇腹部１１２の谷部で切断し易くなっている。図３に示すとおり、中空筒部１１０は蛇腹部１１２で切断可能であり、切断部１１２ａ，１１２ｂを介して筒体１００を一端側の第１切断片１００ａと他端側の第２切断片１００ｂの２つに分割することが可能である。筒体１００の第１接続片１００ａには、中空筒部１１０の一端側及び張出部１２０が残され、その他端側の第１切断部１１２ａにおいて、蛇腹部１１２が開口している。他方、筒体１００の第２接続片１００ａには、中空筒部１１０の他端側及び接続部１３０が残され、その一端側の第２切断部１１２ｂにおいて、蛇腹部１１２が開口している。例えば、配設経路を短縮する際、第１切断片１００ａが切断残片として用いられ、第２切断片１００ｂが切除される。すなわち、基礎壁１１の貫通孔１２形成位置と外部機器１３とが近接し、必要な配線・配管材Ｐの長さよりも中空筒部１１０が長尺である場合、蛇腹部１１２で中空筒部１１０を切断することによって、中空筒部１１０の他端側を切除して配設経路の長さを調節することが可能である。他方、配設経路を延長する際、第２切断片１００ｂが切断残片として第２筒体として用いられ、第１切断片１００ｂが切除される。
【００３４】
張出部１２０は、中空筒部１１０一端で基端部１１１外周から外方に張り出して形成されている。該張出部１２０は、平板状且つ正面視矩形状（本実施形態では略正方形）に形成され、その４隅で面取り加工されている。そして、張出部１２０の裏面（中空筒部１１０の他端側を向いた面）には、貫通孔１２の周縁（基礎壁１１内面）に当接する当接面１２１が定められる。矩形状の張出部１２０は、貫通孔１２に挿通された中空筒部１１０外面と貫通孔１２内面との間を閉鎖する大きさで形成されている。換言すると、張出部１２０の一辺（少なくとも短辺）の長さが貫通孔１２の内径よりも長い。これにより、張出部１２０の当接面１２１が貫通孔１２周縁に当接した状態で、張出部１２０が貫通孔１２の端縁を覆うことが可能である。
【００３５】
接続部１３０は、中空筒部１１０の他端に一体的に形成されている。接続部１３０は、蛇腹部１１２に内挿可能な縮径筒部１３１と、該縮径筒部１３１の外面に突出し、蛇腹部１１２の内面に係合する係止突起１３２とを有する。縮径部分１３１の外径は蛇腹部１１２の谷部の内径とほぼ同じか、あるいは、それよりも小さい。また、係止突起１３２は、縮径部分１３１の外周に沿って突出した環状の突起であり、蛇腹部１１２の内面側に突出する谷部の間に嵌まり込むように構成されている。つまり、係合部材１４２の外径は、蛇腹部１１２の谷部の内径よりも大きく、且つ、山部の外径よりも小さい。すなわち、接続部１３０は、中空筒部１１０の蛇腹部１１２を外挿して互いに接続可能に構成されている。さらに、接続部１３０は、筒体１１０の切断片１００ａ，１００ｂの切断部１１２ａ、１１２ｂ開口を介して切断された蛇腹部１１２をも接続可能である。すなわち、接続部１３０は、他の配設経路形成装置１００’において一端側が蛇腹部１１２’で切除された中空筒部１１０’の切断部１１２ｂ’を接続可能である。
【００３６】
なお、本実施形態の配設経路形成装置（筒体）１００は、合成樹脂の一体成型により成形されたものである。しかしながら、蛇腹部の可撓性を維持できれば、金属等の他の材質で形成されてもよい。あるいは、別体の部品を固着してもよい。
【００３７】
図４は、配設経路形成装置（第１筒体）１００に（配設経路形成装置１００と同一の）他の配設経路形成装置１００’の第２切断片１００ｂ’（第２筒体）を連結して、配設経路を延長した配設経路形成装置の形態を示す概略断面図である。図４に示すとおり、第１筒体１００の接続部１３０に第２筒体１００ｂ’の第２切断部１１２ｂ’が接続されている。より詳細には、接続部１３０の縮径筒部１３１が第２切断部１１２ｂ’開口を介して蛇腹部１１２’内に内挿されている。そして、接続部１３０の係合突起１３２が蛇腹部１１２’の谷部間に配置されることにより、これらが互いに嵌合し、接続部１３０がその長さ方向に係止されている。また、第２筒体１００ｂ’の第２切断部１１２ｂ’が第１筒体１００の接続部１３０根元まで外挿されているので、その外観において、蛇腹部１１２、１１２’が長手方向に連続しているように見える。つまり、第１筒体１００が第２筒体１００ｂ’によって延長されたことによる外観の劣化が抑えられている。結果として、第１筒体１００及び第２筒体１００ｂ’を連結した延長した配設経路形成装置が構成される。そして、第２筒体１００ｂ’の接続部１３０’に他の配設経路形成装置の第２切断片を連結することにより、その配設経路をさらに延長することも可能である。すなわち、本実施形態の配設経路形成装置１００では、必要な配設経路の長さに応じて、中空筒部１１０の長さを自在に短縮及び延長することが可能である。
【００３８】
次に、図５から図９を参照して、配設経路形成装置１００の一使用例として、基礎壁１１と外部機器１３との間に本実施形態の配設経路形成装置１００を設置した配設経路構造１０について説明する。図５乃至図９は、配設経路構造１０を示している。図５は、配設経路構造１０の概略斜視図である。図６は、配設経路構造１０の概略平面図である。図７は、配設経路構造１０の概略正面図である。図８は、配設経路構造１０の基礎壁１１内面から見た背面図である。図９は、配設経路構造１０の貫通孔１２近傍の構造を示すＡ−Ａ断面図である。
【００３９】
図５から図７に示すとおり、基礎壁１１には貫通孔１２が穿設され、該貫通孔１２の形成位置から比較的近接した位置に外部機器１３が配置されている。具体的には、本配設経路構造１０では、外部機器１３はヒートポンプ式給湯器であり、そして、配線・配管材Ｐは、追い炊き用の行き戻り管（図８、９のＰ１）、給水管や信号線（図８、９のＰ２）である。外部機器１３は、基礎壁１１の貫通孔１２が形成された外面の前に設置されている。また、本実施形態の配設経路構造１０では、基礎壁１１と外部機器１３との間で配線・配管材Ｐをその全域（又はほぼ全域）に亘って保護する配設経路を形成されている。すなわち、１体の配設経路形成装置（筒体）１００が貫通孔１２を介して外部機器１３まで到達している。なお、「到達」とは、配設経路形成装置（第１筒体及び第２筒体の連結体も含む）が貫通孔を介して基礎壁と外部機器との間に配設又は配置されていることを意味し、配設経路形成装置（筒体）の先端又は第２筒体の先端が外部機器に当接していることを含んでいる。しかしながら、現実的には、配設経路形成装置（筒体）又は第２筒体の先端と外部機器との間にある程度の大きさの隙間が生じてもよい。
【００４０】
本実施形態の配設経路構造１０では、基礎壁１１の貫通孔１２と外部機器１３との間に配線・配管材Ｐ（追い炊き用の行き戻り管、給水管や信号線等）の配設経路が形成されている。より具体的には、図６及び図７に示すとおり、中空筒部１１０の基礎壁１１外面側に突出した箇所で配設経路形成装置１００の蛇腹部１１２が外部機器１３の接続箇所へ向けて屈曲している。詳細には、貫通孔１２から外方に略直状に延び出た中空筒部１１０が基礎壁１１外面に向けて座屈することなく蛇腹部１１２を介して屈曲し、中空筒部１１０が基礎壁１１外面に沿うように配設されている。そして、外部機器１３近傍において、中空筒部１１０が壁面に沿いながら、配設経路形成装置１００他端の接続部１３０が外部機器１３に到達している。すなわち、配設経路構造１０では、基礎壁１１と外部機器１３との間に配線・配管材Ｐを保護するための配設経路が形成されている。
【００４１】
当該配設経路構造１０では、配設経路形成装置１００の張出部１２０が基礎壁１１内面の貫通孔１２周縁に固定されている。図８及び図９に示すように、張出部１２０の当接面１２１が基礎壁１１内面に当接した状態で、各辺のそれぞれに沿う直線状の粘着テープ１２２によって基礎壁１１に固着されている。そして、矩形状の張出部１２０によって、貫通孔１２に挿通された中空筒部１１０外面と貫通孔１２内面との間が閉鎖されている。これにより、中空筒部１１０外面と貫通孔１２内面との間の隙間から水やゴミ等が基礎壁１１内方に侵入することが防止されている。他方、基礎壁１１の外面においては、貫通孔１２から延び出る中空筒部１１０のみが露出している。なお、図８及び図９において、配線・配管材Ｐとして複数のケーブル及び配管が内挿されている。すなわち、任意に配線・配管材Ｐの数量を増減したり、その種類を変更可能である。
【００４２】
また、図９に示すように、貫通孔１２内における基礎壁１１内面近傍の空間において、短尺の中空筒部１１０の基端部１１１が延在している。基端部１１１が蛇腹部１１２と比べて屈曲しにくいことにより、蛇腹部１１２の屈曲によって張出部１２０に直接かかる応力を軽減し、張出部１２０の姿勢がより安定的に維持されている。他方、貫通孔１２の基礎壁１１外面側の残りの大部分の空間において、蛇腹部１１２が延在している。すなわち、配設経路形成装置１００が基礎壁１１に設置された状態で、貫通孔１２内に基端部１１１が収容され、基礎壁１１外面に延び出る中空筒部１１０の部分が蛇腹部１１２となる。これにより、中空筒部１１０を基礎壁１１外面から延び出た直後から屈折させることが可能である。
【００４３】
そして、貫通孔１２の基礎壁１１外面側の開口端において、蛇腹部１１２（中空筒部１１０）外面と貫通孔１２内面との間に止水手段１４０が設けられている。当該止水手段１４０は、パテ材やＯリングなどから任意に選択され得る。結果として、基礎壁１１外面側から貫通孔１２内に水やゴミ等が侵入することが抑えられる。本実施形態において、止水手段１４０が外部（屋外）に露出しており、劣化の虞があるが、基礎壁１１内部側で張出部１２０を矩形状として粘着テープ１４０で固定したことで、基礎壁１１の貫通孔１２内面と蛇腹部１１２との間に侵入した雨水等が基礎壁１１より内部（屋内）に入り込むことが防止される。
【００４４】
なお、外部機器１３が基礎壁１１の貫通孔１２により近い位置にある場合には、図３に示したように、蛇腹部１１２で中空筒部１１０の他端側を切除し、張出部１２０を含む第１切断片１００ａを配設経路形成装置として使用してもよい。
【００４５】
次に、配設経路形成装置の別使用例として、基礎壁１１と外部機器１３との間に第１筒体１００及び第２筒体１００ｂ’を設置した配設経路構造２０について説明する。図１０は、配設経路構造２０の概略斜視図である。図１１は、配設経路構造２０の概略平面図である。
【００４６】
図１０及び図１１に示すとおり、基礎壁１１には貫通孔１２が穿設され、外部機器１３が基礎壁１１の貫通孔１２が形成された面とは異なる面の前に設置されている。つまり、基礎壁１１の貫通孔１２形成位置から比較的離れた位置に外部機器１３が位置している。この場合、図５の配設経路構造１０のように、１本の筒体（配設経路形成装置）１００で貫通孔１２を介して外部機器１３まで到達することができない。なお、図１０及び図１１では、説明の便宜上、第１筒体１００及び第２筒体１００ｂ’を区別して描写しているが、蛇腹部１１２、１１２’は同一構造を有している。
【００４７】
本実施形態の配設経路構造２０は、第１筒体１００に第２筒体１００ｂ’が接続されることにより、基礎壁１１の貫通孔１２と外部機器１３との間に配線・配管材Ｐの配設経路が形成されている。より具体的には、当該配設経路構造２０では、第１筒体１００の張出部１２０が基礎壁１１内面の貫通孔１２周縁に固定されている。なお、張出部１２０の固着手段及び貫通孔１２における断面構造は、図８、図９で説明した形態と同様である。
【００４８】
図１１に示すとおり、第１筒体１００の中空筒部１１０の基礎壁１１外面側に突出した箇所で蛇腹部１１２が外部機器１３へ向けて屈曲している。より詳細には、貫通孔１２から外方に略直状に延び出た中空筒部１１０の蛇腹部１１２が基礎壁１１外面に向けて座屈することなく緩やかなカーブを描きながら屈曲し、中空筒部１１０が基礎壁１１外面に沿うように配設されている。そして、基礎壁１１の貫通孔１２が形成された外面で、第１筒体１００先端の接続部１３０に第２筒体１００ｂ’の蛇腹部１１２’（又は中空筒部１１０’）が第２切断部１１２ｂ’を介して接続されている。同様に、第２筒体１００ｂ’は蛇腹部１１２’を介して外部機器１３に向けて屈曲している。具体的には、蛇腹部１１２’が当該貫通孔１２が形成された基礎壁１１外面から隣接する基礎壁１１外面に座屈することなく緩やかなカーブを描きながら屈曲し、外部機器１３近傍で基礎壁１１外面に沿うように配設されている。その結果、第２筒体１００ｂ’の他端の接続部１３０’が外部機器１３に到達している。すなわち、配設経路構造２０では、基礎壁１１と外部機器１３との間に配線・配管材Ｐを保護するための延長された配設経路が形成されている。
【００４９】
以下、本発明に係る一実施形態の配設経路形成装置及び配設経路構造における作用効果について説明する。
【００５０】
本実施形態の配設経路形成装置１００によれば、貫通孔１２を貫通する長尺の中空筒部１１０、及び、基礎壁１１内面の貫通孔１２周縁に当接する張出部１２０が設けられている。すなわち、基礎壁１１内面の貫通孔１２周縁に張出部１２０が固着されることにより、貫通孔１２から延び出る中空筒部１１０のみが基礎壁の他面側に露出する。これにより、基礎壁１１の他面からの外観がすっきりし、見栄えが改善される。さらに、中空筒部１１０が内挿する配線・配管材Ｐが接続される外部機器１３の位置に応じて、中空筒部１１０の長さを短縮又は延長することが可能であり、柔軟に対応することができる。すなわち、基礎壁１１の貫通孔１２形成位置と外部機器１３とが近接し、必要な配線・配管材Ｐの長さよりも中空筒部１１０が長尺である場合、蛇腹部１１２で中空筒部１１０を切断することによって、中空筒部１１０の他端側を切除して該中空筒部１１０の長さを調節することが可能である。他方、基礎壁１１の貫通孔１２形成位置と外部機器１３とが離隔し、必要な配線・配管材の長さよりも中空筒部１１０が短尺である場合、他の配設経路形成装置１００’を準備し、その一端側が蛇腹部１１２’で切除された中空筒部１１０’の第２切断片（第２筒体）１１２ｂ’を当該配設経路形成装置（第１筒体）１００の接続部１３０に接続することにより、配線・配管材Ｐの配設経路を簡単に延長することができる。これにより、配線・配管材Ｐが外部に露出する面積が効果的に抑えられる。したがって、本実施形態によれば、外部機器１３と貫通孔１２との位置関係に柔軟に対応して見栄え良く配線・配管材Ｐを保護及び配設できる。
【００５１】
［変形例］
本発明の配設経路形成装置は、上記実施形態に限定されずに、例えば、以下のように変形可能である。
【００５２】
（１）本発明の配設経路形成装置は、上記実施形態の形状に限定されない。上記実施形態では、中空筒部断面は円形であるが、例えば、中空筒部断面は楕円、長円、多角形であってもよい。また、張出部が矩形状であるが、円形状等の他の形状であってもよい。
【００５３】
（２）上記実施形態では、第２筒体は他の配設経路形成装置の第２切断片であるが、本発明はこれに限定されない。すなわち、第２筒体は、同構造の蛇腹部を有する筒体であればよく、配設経路形成装置の切断片でなくてもよい。例えば、第２筒体は、別個に成形した蛇腹状筒体であってもよい。
【００５４】
本発明は上述した実施形態や変形例に限定されるものではなく、本発明の技術的範囲に属する限りにおいて種々の態様で実施しうるものである。
【符号の説明】
【００５５】
１０      配設経路構造
１１      基礎壁
１２      貫通孔
１３      外部機器
２０      延長した配設経路構造
１００    配設経路形成装置（筒体、第１筒体）
１００ａ  第１切断片
１００ｂ  第２切断片
１１０    中空筒部
１１１    基端部
１１２    蛇腹部
１１２ａ  第１切断部
１１２ｂ  第２切断部
１２０    張出部
１２１    当接面
１２２    粘着テープ
１３０    接続部
１３１    縮径筒部
１３２    係合突起
１４０    止水手段
１００’  他の配設経路形成装置
１００ｂ’  第２筒体
Ｐ        配線・配管材
【図１】
2019124362.tif 000003
【図２】
2019124362.tif 000004
【図３】
2019124362.tif 000005
【図４】
2019124362.tif 000006
【図５】
2019124362.tif 000007
【図６】
2019124362.tif 000008
【図７】
2019124362.tif 000009
【図８】
2019124362.tif 000010
【図９】
2019124362.tif 000011
【図１０】
2019124362.tif 000012
【図１１】
2019124362.tif 000013